(57)【特許請求の範囲】
【請求項１】
ユーザを識別する識別情報を受け付ける入力手段と、前記ユーザの指紋を画像情報として取り込む指紋画像読み取り手段と、前記識別情報に関連して登録されている指紋の画像情報を検索する指紋画像データベースと、前記指紋画像読み取り手段が出力する入力指紋画像と前記指紋画像データベースが出力する前記識別情報に関連した登録指紋画像とを指紋照合する指紋照合手段と、前記ユーザが前記指紋画像読み取り手段に指紋を読み込ませるときの注意点を提示するガイダンス情報を複数記憶するガイダンス記憶手段と、前記指紋照合手段が指紋照合した結果出力される前記入力指紋画像と前記登録指紋画像とが一致する度合いを示す値である指紋照合率を所定閾値と比較し、前記指紋照合率が前記所定閾値より大きい場合は指紋照合が成功したと判断し、前記指紋照合率が０である場合は前記識別情報に関連した指紋画像が前記指紋画像データベースに登録されていなかったと判断し、前記指紋照合率が前記所定閾値より小さく０より大きい場合は前記指紋照合率向上のために前記ユーザに提示するガイダンス情報を前記照合結果に基づいて前記ガイダンス記憶手段から選択するガイダンス選択手段と、前記ガイダンス選択手段が選択したガイダンス情報を前記ユーザに表示するガイダンス表示手段とを備えることを特徴とする指紋照合装置
【請求項２】
前記ガイダンス情報は、前記ユーザの指の置き方または指の状態に対するガイダンスであることを特徴とする請求項１に記載の指紋照合装置
【請求項３】
前記指紋照合手段の出力する指紋照合結果を前記ユーザ毎に記憶し、前記識別情報を検索条件として前記指紋照合結果を検索する指紋画像照合ログデータベースを備え、前記ガイダンス表示手段は、前記指紋画像照合ログデータベースが検索した指紋照合結果に従って、前記ガイダンス情報を表示することを特徴とする請求項１または２に記載の指紋照合装置
【請求項４】
前記ユーザがＯＮ／ＯＦＦできるガイダンス要求スイッチを備え、前記ガイダンス要求スイッチから前記ガイダンス選択手段にＯＮ入力があったとき、前記ガイダンス表示手段が前記ガイダンス情報を提示することを特徴とする請求項３に記載の指紋照合装置
【請求項５】
前記ガイダンス選択手段は、前記指紋画像読み取り手段が指紋を取り込むときに指紋画像に影響を及ぼす因子となる環境データに基づき、ガイダンスを選択することを特徴とする請求項３または４に記載の指紋照合装置
【請求項６】
ユーザを識別する識別情報を受け付ける入力ステップと、前記ユーザの指紋画像を読み取る指紋画像読み取りステップと、前記識別情報に関連して複数ユーザの指紋画像を記憶する指紋画像データベースから指紋画像を検索するステップと、前記指紋画像読み取りステップで読み取られた入力指紋画像と、前記指紋画像データベースが出力する前記識別情報に関連した登録指紋画像とを指紋照合する指紋照合ステップと、前記指紋照合ステップにて指紋照合した結果出力される前記入力指紋画像と前記登録指紋画像とが一致する度合いを示す値である指紋照合率を所定閾値と比較し、前記指紋照合率が前記所定閾値より大きい場合は指紋照合が成功したと判断し、前記指紋照合率が０である場合は前記識別情報に関連した指紋画像が前記指紋画像データベースに登録されていなかったと判断し、前記指紋照合率が前記所定閾値より小さく０より大きい場合は前記指紋照合率向上のために予め記憶された複数のガイダンスから前記ユーザに提示するガイダンスを前記照合結果に基づいて選択し、前記ユーザに表示するガイダンス表示ステップとを備えることを特徴とする指紋照合方法
【請求項７】
前記ガイダンス情報は、前記ユーザの指の置き方または指の状態に対するガイダンスであることを特徴とする請求項６に記載の指紋照合方法
【請求項８】
前記指紋照合ステップの出力する指紋照合結果をユーザ毎に記憶するステップと、前記識別情報を検索条件として前記指紋照合結果を検索する検索ステップとを備え、前記指紋画像読み取りステップを実行する際に、前記検索ステップで検索された指紋照合結果に基づいて、前記ガイダンス情報を表示するステップを備えることを特徴とする請求項６または７に記載の指紋照合方法
【発明の詳細な説明】
【０００１】
【発明の属する技術分野】
本発明は、指紋照合装置、及び指紋照合方法に関するものである。
【０００２】
【従来の技術】
公的機関や金融証券会社などの窓口業務が、機械端末へ徐々に置き換わりつつある。コスト削減や取り扱い時間の延長など機械化は恩恵をもたらす一方、本人認証に使われるカードの盗難やパスワードの盗用による、本人以外の不正使用などの問題も増加している。
こうした問題を回避するためのセキュリティーの高い本人認証装置として、指紋認証装置が近年注目されている。しかし、従来の指紋照合装置では、指の置く位置・置き方や、湿度など気象条件が、登録時と照合時とで異なっているため、照合に失敗する場合が多い。また、指紋がかすれている、指紋がべたついている、傷・しわが多いなどの原因でその人の指紋自体が照合しづらいという場合もあり、照合が失敗する要因となっている。
こうした、問題を解決するために、例えば、特開平６−２７２４４０号公報に記載された指紋照合装置では、図１４に示した方法で照合を行っている。以下のその手順を簡単に説明する。
図１４において、開始時（ステップＳ１０００）にユーザは暗証番号をテンキーを使って入力して（ステップＳ１００１）、その暗証番号を指紋照合装置内で認証する（ステップＳ１００２）。ここで認証に失敗した場合は、ＮＧ灯を点灯し（ステップＳ１００３）、ステップＳ１００１に戻る。認証に成功した場合は、成功したことをＯＫ灯を点灯し（ステップＳ１００４）ユーザに知らせ、続けて指紋の入力を待つ（ステップＳ１００５）。所定の時間内に指紋が入力されなかった場合は、ステップＳ１０００に戻る。所定の時間内に指紋が入力された場合は、入力指紋パタンを登録されている指紋パタンと照合し（ステップＳ１００６）、成功すれば、成功したことをＯＫ灯を点灯し（ステップＳ１００７）ユーザに知らせ、続けて扉を解錠し（ステップＳ１００８）、処理を終了する（ステップＳ１００９）。
入力指紋画像に問題があってステップＳ１００６で照合が失敗した場合には、失敗したことをＮＧ灯を点灯し（ステップＳ１０１０）ユーザに知らせる。そして指紋の再入力を促す再灯が点灯する（ステップＳ１０１１）。一回の指紋入力の所定時間内の再灯の点灯回数の累計を求め（ステップＳ１０１２）、３回未満ならステップＳ１００５へ戻り指紋の再入力を行う。一方、再灯の点灯回数の累計が３回に達した場合は、モードスイッチの状態を調べ（ステップＳ１０１３）、ＯＦＦならステップＳ１０００に戻り、ＯＮならステップＳ１００７に飛び、指紋パタンの照合が成功したことにして扉を解錠し（ステップＳ１００８）、処理を終了する（ステップＳ１００９）。
ここで、モードスイッチは気象条件が悪い場合などにＯＮに設定される。これは、入力指紋にもともとカスレなどの問題があってステップＳ１００６の照合がほとんど失敗する場合を救済するためである。
【０００３】
【発明が解決しようとする課題】
上述のような従来の指紋照合装置では、指紋照合が失敗した場合に、ＮＧ灯を点灯するだけであるため、ユーザは同じ指紋入力方法を繰り返し、照合の成功率が低いという問題があった。
本発明は、かかる問題点を解決するためになされたものであり、指紋照合装置が、照合結果に基づいて指の置き方や、指の状態に対する適切なガイダンスをユーザに知らせることにより、環境的な条件で指紋の読み取りが難しい場合や、ユーザが指紋照合装置に慣れていない場合や、ユーザが指紋照合装置を誤って操作する場合などに発生する、指紋照合装置の指紋照合の失敗を軽減することを目的とするものである。
【０００４】
【課題を解決するための手段】
この発明にかかる指紋照合装置は、ユーザを識別する識別情報を受け付ける入力手段と、前記ユーザの指紋を画像情報として取り込む指紋画像読み取り手段と、前記識別情報に関連して登録されている指紋の画像情報を検索する指紋画像データベースと、前記指紋画像読み取り手段が出力する入力指紋画像と前記指紋画像データベースが出力する前記識別情報に関連した登録指紋画像とを指紋照合する指紋照合手段と、前記ユーザが前記指紋画像読み取り手段に指紋を読み込ませるときの注意点を提示するガイダンス情報を複数記憶するガイダンス記憶手段と、前記指紋照合手段が指紋照合した結果出力される前記入力指紋画像と前記登録指紋画像とが一致する度合いを示す値である指紋照合率を所定閾値と比較し、前記指紋照合率が前記所定閾値より大きい場合は指紋照合が成功したと判断し、前記指紋照合率が０である場合は前記識別情報に関連した指紋画像が前記指紋画像データベースに登録されていなかったと判断し、前記指紋照合率が前記所定閾値より小さく０より大きい場合は前記指紋照合率向上のために前記ユーザに提示するガイダンス情報を前記照合結果に基づいて前記ガイダンス記憶手段から選択するガイダンス選択手段と、前記ガイダンス選択手段が選択したガイダンス情報を前記ユーザに表示するガイダンス表示手段とを備えることを特徴とする。
また、前記ガイダンス情報は、前記ユーザの指の置き方または指の状態に対するガイダンスであることを特徴とする。
【０００５】
また、前記指紋照合手段の出力する照合結果を前記ユーザ毎に記憶し、前記識別情報を検索条件として前記照合結果を検索する指紋画像照合ログデータベースを備え、前記ガイダンス表示手段は、前記指紋画像照合ログデータベースが検索した照合結果に従って、前記ガイダンス情報を表示することを特徴とする。
【０００６】
また、前記ユーザがＯＮ／ＯＦＦできるガイダンス要求スイッチを備え、前記ガイダンス要求スイッチから前記ガイダンス選択手段にＯＮ入力があったとき、前記ガイダンス表示手段が前記ガイダンス情報を提示することを特徴とする。
【０００７】
また、前記ガイダンス選択手段は、前記指紋画像読み取り手段が指紋を取り込むときに指紋画像に影響を及ぼす因子となる環境データに基づき、ガイダンスを選択することを特徴とする。
【０００８】
この発明にかかる指紋照合方法は、ユーザを識別する識別情報を受け付ける入力ステップと、前記ユーザの指紋画像を読み取る指紋画像読み取りステップと、前記識別情報に関連して複数ユーザの指紋画像を記憶する指紋画像データベースから指紋画像を検索するステップと、前記指紋画像読み取りステップで読み取られた入力指紋画像と、前記指紋画像データベースが出力する前記識別情報に関連した登録指紋画像とを指紋照合する指紋照合ステップと、前記指紋照合ステップにて指紋照合した結果出力される前記入力指紋画像と前記登録指紋画像とが一致する度合いを示す値である指紋照合率を所定閾値と比較し、前記指紋照合率が前記所定閾値より大きい場合は指紋照合が成功したと判断し、前記指紋照合率が０である場合は前記識別情報に関連した指紋画像が前記指紋画像データベースに登録されていなかったと判断し、前記指紋照合率が前記所定閾値より小さく０より大きい場合は前記指紋照合率向上のために予め記憶された複数のガイダンスから前記ユーザに提示するガイダンスを前記照合結果に基づいて選択し、前記ユーザに表示するガイダンス表示ステップとを備えることを特徴とする。
また、前記ガイダンス情報は、前記ユーザの指の置き方または指の状態に対するガイダンスであることを特徴とする。
【０００９】
また、前記指紋照合ステップの出力する照合結果をユーザ毎に記憶するステップと、前記識別情報を検索条件として前記指紋照合結果を検索する検索ステップとを備え、前記指紋画像読み取りステップを実行する際に、前記検索ステップで検索された指紋照合結果に基づいて、前記ガイダンス情報を表示するステップを備えることを特徴とする。
【００１０】
【発明の実施の形態】
実施の形態１
本発明による指紋照合装置の一実施形態について、図１を用いて説明する。図１は、本発明の実施形態の指紋照合装置を示すブロック図である。
図１において、１はユーザを個々に識別するＩＤ（ＩＤｅｎｔｉｆｉｅｒ）と呼ばれる識別子を機械入力するＩＤ入力手段であり、２はユーザの指紋を画像情報として取り込む指紋画像読み取り手段であり、３はＩＤに基づき登録されている指紋の画像情報を検索する指紋画像データベースであり、１０は指紋画像読み取り手段２が出力する指紋画像と、指紋画像データベース３が出力する指紋画像とを照合する指紋照合手段である。
また、４はユーザが指紋画像読み取り手段２に指紋を読み込ませるときの注意点を提示するガイダンス情報を集めたガイダンスリストであり、メモリ、ディスク装置等の記憶手段に記憶されている。
１１は、指紋照合手段１０の照合結果に基づいて、ガイダンスリスト４からユーザに提示するガイダンスを選択するガイダンス選択手段であり、５は、ガイダンス選択手段１１が出力するガイダンスをユーザに表示するガイダンス表示手段である。
【００１１】
次に、図１に示す実施形態の指紋照合装置の動作について図２を用いて説明する。
開始（ステップＳ１１）後に、指紋照合装置のユーザは、キーボードやタッチパネルやカードリーダなどのＩＤ入力手段１を利用してＩＤを入力する（ステップＳ１２）。
指紋画像データベース３はユーザのＩＤに関連して登録された指紋画像があるかどうかを検索し、該当する指紋画像が存在する場合は、その指紋画像を出力し、無い場合は何も出力しない（ステップＳ１３）。
また指紋照合装置のユーザは、指紋読み取り手段２に触れるなどして指紋を入力し、指紋読み取り手段２は光学センサなどでユーザの指紋を読み取り、画像データに変換して、変換した指紋画像を出力する（ステップＳ１４）。
登録指紋画像データベース３と指紋読み取り手段２から出力された指紋画像は、互いに指紋照合手段１０で照合される（ステップＳ１５）。照合結果の内容とは、例えば、「照合率」、「ズレ度合い」、「確定面積」、「濃度」である。照合結果の各項目の説明を以下に示す。
照合率：Ｖ  ：登録指紋画像と入力指紋画像との一致の度合いを示す値。この値が大きいほど一致の度合いは大きい。入力画像の片方あるいは両方が欠けた場合は０、２つの画像が同一の場合は１、その他の場合は区間（０，１）の値をとる。ユーザの認証結果は、この照合率で判定される。
ズレ度合い：Ｚ：登録指紋画像と入力指紋画像との登録データとの位置ズレをあらわす。上下方向と左右方向のズレの値の組であらわされる。ユーザへのガイダンスに用いる。
確定面積：Ｓ：入力指紋画像中、指紋として同定され、照合に用いられる部分の面積を示す。大きいほど指がしっかりおかれていることを示す。ユーザへのガイダンスに用いる。
濃度：Ｃ  ：入力指紋画像中の指紋の鮮明度合い。この値が小さいと指紋パターンが不鮮明、値が大きいと指紋パターンが濃すぎることを示す。ユーザへのガイダンスに用いる。
上記の照合結果の各項目の求め方としては、公知方法のさまざまな方法を使用することができる。
指紋照合手段１０の照合結果は、ガイダンス選択手段１１に出力され（ステップＳ１５）、この照合結果に基づき照合率改善のためにユーザに提示するガイダンスを選択し、選択したガイダンスを表示する（ステップＳ１６）。
【００１２】
図３に、指紋画像のいくつかの照合結果の例を示す。ここで、
ＩＤ番号  ：照合したユーザのＩＤ番号、数字及び記号列で表される。
日時      ：指紋照合装置の操作が行われた月日時刻を示す。図３では、月（２桁）日（２桁）時（２桁）分（２桁）形式となっている。
である。それぞれの指紋照合結果に上記２項の識別情報を加えたものを指紋照合ログと呼ぶ。
ガイダンス選択手段１１には、ガイダンスリスト４が入力され、今回の指紋入力への照合結果を分析した結果導出される、照合率低下の要因に対する照合率向上のためのガイダンスをガイダンスリスト４から選択してガイダンス表示手段５に出力する。
【００１３】
以下図４を用いて、ガイダンス選択手段１１の動作を説明する。
開始（ステップＳ１０１）後に、まず照合率：Ｖが照合率の閾値：Ｖ０と比較され（ステップＳ１０２）、Ｖ＞Ｖ０ならば照合が成功したとみなして、ガイダンス０を選択し（ステップＳ１０３）、これをガイダンス表示手段５に表示し（ステップＳ１１５）、終了する（ステップＳ１１６）。
ステップＳ１０２で、Ｖ＞Ｖ０でなければ、Ｖ＝０かを調べ（ステップＳ１０４）、Ｖ＝０の場合は、指紋画像データベース３からの出力がなかった、つまりユーザの入力したＩＤに対して指紋が登録されていなかったということだから、指紋が登録されていなかった旨を伝えるガイダンス１を選択し（ステップＳ１０５）、これをガイダンス表示手段５に表示し（ステップＳ１１５）、終了する（ステップＳ１１６）。
ステップＳ１０４で、Ｖ＝０でない場合は、ユーザの入力したＩＤに対して指紋が指紋画像データベース３に登録されており、なおかつ照合に失敗した場合だから、照合に失敗した旨を伝えるガイダンス２を選択し（ステップＳ１０６）、ステップＳ１０７に進む。
ステップＳ１０７では、ズレ度合い：Ｚがズレ度合いの閾値：Ｚ０と比較され、Ｚ＞Ｚ０ならばズレ度合いが大きいとみなして、ガイダンス３を選択してから（ステップＳ１０８）、ステップＳ１０９に進む。Ｚ＞Ｚ０でなければ、何も選択せずにステップＳ１０９に進む。
ステップＳ１０９では、確定面積：Ｓが確定面積の閾値：Ｓ０と比較され、Ｓ＜Ｓ０ならば確定面積が小さいとみなして、ガイダンス４を選択してから（ステップＳ１１０）、ステップＳ１１１に進む。Ｓ＜Ｓ０でなければ、何も選択せずにステップＳ１１１に進む。
ステップＳ１１１では、濃度：Ｃが第一の濃度の閾値：Ｃ０と比較され、Ｃ＜Ｃ０ならば濃度が小さいとみなして、ガイダンス５を選択してから（ステップＳ１１２）、ステップＳ１１３に進む。Ｃ＜Ｃ０でなければ、何も選択せずにステップＳ１１３に進む。
ステップＳ１１３では、濃度：Ｃが第二の濃度の閾値：Ｃ１と比較され、Ｃ＞Ｃ１ならば濃度が大きいとみなして、ガイダンス６を選択してから（ステップＳ１１４）、ステップＳ１１５に進む。Ｃ＞Ｃ１でなければ、何も選択せずにステップＳ１１５に進む。
ステップＳ１１５では、ガイダンス選択手段１１が選択したガイダンスをガイダンス表示手段５に表示し、ステップＳ１１６で終了する。
【００１４】
図３の照合ログの表から照合結果のいくつかの場合について、ガイダンス選択手段１１の動作を具体的に説明する。図４の、
【００１５】
【数１】
0004306177.tif 000002
【００１６】
はそれぞれ閾値であるが、以下では、
【００１７】
【数２】
0004306177.tif 000003
【００１８】
とおいて説明する。
ガイダンスリストとして図５を用いることにする。
またズレ度合いは、左右方向に関してはＸ成分が、上下方向に関してはＹ成分が対応し、ユーザが指を右におくほどＸ成分が増大、上におくほどＹ成分が増大すると定義する。
まず照合結果が図３の照合ログの上から２番の行（ＩＤ＝１７１６、日時＝０２０２０８３５）の場合。処理はステップＳ１０１、ステップＳ１０２、ステップＳ１０４の順に進み、
【００１９】
【数３】
0004306177.tif 000004
【００２０】
より、照合の失敗を示すガイダンス２が選択される（ステップＳ１０６）。
ステップＳ１０７では例えばズレ度合い（１０．９，−９．３）の尺度：Ｚをユークリッド距離として、
【００２１】
【数４】
0004306177.tif 000005
【００２２】
より、ズレ度合いが閾値を超えているのでガイダンス３が選択される（ステップＳ１０８）。
ステップＳ１０９では、
【００２３】
【数５】
0004306177.tif 000006
【００２４】
より、確定面積が閾値より小さいのでガイダンス４が選択される（ステップＳ１１０）。
ステップＳ１１１、ステップＳ１１３では
【００２５】
【数６】
0004306177.tif 000007
【００２６】
より、Ｃは濃淡の閾値の上限下限の間におさまっているので、ガイダンスは選択されない。
結局ガイダンス２，３，４を選択してステップＳ１１５で、ガイダンス表示手段５には、選択した以下のガイダンスが表示されることになる。
「指紋の照合に失敗しました。」…ガイダンス２
「指の置き方が登録時と上に１０．９ｍｍ、左方向に９．３ｍｍずれています。」…ガイダンス３
「指紋が小さいようです。
軽くおいているか、指が小さい可能性があります。
少し強めに指をおくか、太めの指で再登録してください。」…ガイダンス４
【００２７】
つぎに照合結果が図３の照合ログの上から３番の行（ＩＤ＝１７１６、日時＝０２０３０９１４）の場合。処理はステップＳ１０１、ステップＳ１０２、ステップＳ１０４の順に進み、
【００２８】
【数７】
0004306177.tif 000008
【００２９】
より、照合の失敗を示すガイダンス２が選択される（ステップＳ１０６）。
ステップＳ１０７では例えばズレ度合い（５．１，２．１）に対し、
【００３０】
【数８】
0004306177.tif 000009
【００３１】
より、ズレ度合いが閾値を超えていないのでガイダンスは選択されずに進む。
ステップＳ１０９では、
【００３２】
【数９】
0004306177.tif 000010
【００３３】
より、確定面積が閾値より小さいのでガイダンス４が選択される（ステップＳ１１０）。
ステップＳ１１１、ステップＳ１１３では
【００３４】
【数１０】
0004306177.tif 000011
【００３５】
より、Ｃは濃淡の閾値の上限を越えているので、ガイダンス６が選択される（ステップＳ１１４）。
結局ガイダンス２，４，６を選択して、ステップＳ１１５で、ガイダンス表示手段５には、選択した以下のガイダンスが表示されることになる。
「指紋の照合に失敗しました。」…ガイダンス２
「指紋が小さいようです。
軽くおいているか、指が小さい可能性があります。
少し強めに指をおくか、太めの指で再登録してください。」…ガイダンス４
「指紋がベタついているようです。
汗で指がベタついているか、汚れている可能性があります。
ハンカチなどで汗、汚れをふき取ってください。」…ガイダンス６
【００３６】
つぎに照合結果が図３の照合ログの上から４番の行（ＩＤ＝１７１６、日時＝０２０４０８５２）の場合。処理はステップＳ１０１、ステップＳ１０２の順に進み、
【００３７】
【数１１】
0004306177.tif 000012
【００３８】
より、照合の成功を示すガイダンス０が選択され（ステップＳ１０３）、処理はステップＳ１１５に飛んで、ガイダンス表示手段５には、選択した以下のガイダンスが表示されることになる。
「指紋の照合に成功しました。」…ガイダンス０
【００３９】
以上のように、本発明では指紋照合が失敗した場合でも、その照合結果を参照することにより、ユーザの指の置き方や、指の状態に応じて適切なガイダンスをユーザに知らせることができるため、ユーザは指紋照合率が改善されるように指紋入力方法を修正することができる。
【００４０】
実施の形態２
本発明による指紋照合装置の一実施形態について、図６を用いて説明する。
図６において、６は指紋照合手段１０の出力する照合結果を記憶・貯蔵する指紋画像照合ログデータベースで、ガイダンス選択手段１１からユーザのＩＤなどを検索条件として与えられたとき検索条件に合致する照合結果をガイダンス選択手段１１に出力する。７はユーザがＯＮ／ＯＦＦできるガイダンス要求スイッチで、ガイダンス選択手段１１にＯＮ／ＯＦＦ信号を出力する。８は気温、湿度、照度など指紋画像読み取り手段が指紋を画像データに変換するときに影響を及ぼす要因となる環境データで記憶装置に記憶されており、ガイダンス選択手段１１に入力されている。環境データは、管理者等の人によりあらかじめ設定されるようにしてもよいし、センサで自動測定するようにしてもよい。その他、図６において図１と共通の番号をもつものは同一又は相当の部分を表す。
【００４１】
以下図７を用いて、本発明の一実施例の動作を説明する。
ステップＳ１１からステップＳ１５までは、図２と同一である。
ステップＳ１５で指紋画像の照合を行った後、ステップＳ１２で入力されたＩＤが指紋画像照合ログデータベース６に入力されに、同一のＩＤを持つログを検索する（ステップＳ２５）。ここで、指紋画像照合ログデータベース６は記憶容量が有限であるので、各ＩＤについて最大Ｎ個の指紋画像照合ログを記憶するように設定されているとする。
ステップＳ２５で検索された照合ログの数がＮ個かを判定し（ステップＳ２６）、Ｎ個なら検索された照合ログのなかで日時の一番古いものを消去し（ステップＳ２７）、ステップＳ２８に移る。Ｎ個でなければステップＳ２８に移る。
ステップＳ２８では指紋画像照合ログデータベース６に、最新の指紋画像照合ログを追加し、ステップＳ２５で検索された照合ログとステップＳ１５の指紋画像照合ログの照合結果を１つずつ順にステップＳ１６に出力する。
ステップＳ１６では入力される照合結果に対して、図４のフローチャートに従ってガイダンスを選択、表示した後、ステップＳ２９で終了する。
【００４２】
以上のように、本発明は指紋照合結果の履歴をユーザ毎に蓄積すると共に、過去の履歴を含む指紋画像照合結果に対するガイダンスをユーザに与えることができる。
【００４３】
また、以下図８を用いて、本発明の一実施例の動作を説明する。
開始（ステップＳ３１）後に、ユーザがガイダンス要求スイッチ７をＯＮにして本発明の指紋照合装置に指紋を入力する以前に事前ガイダンスを要求し（ステップＳ３２）、ユーザはＩＤ入力手段１を利用してＩＤを入力する（ステップＳ３３）。
入力したＩＤは、指紋画像照合ログデータベース６に入力し、ＩＤを持つ指紋画像照合ログを検索し（ステップＳ３４）、検索されたデータ数：Ｍを判定し（ステップＳ３５）、Ｍ＝０の場合は「指紋照合を行った記録がありません」とユーザに通知し（ステップＳ３６）、終了する（ステップＳ３９）。一方ステップＳ３５で検索されたデータ数：Ｍ≠０のときは、検索された指紋画像照合ログはガイダンス選択手段１１に出力され、照合結果の算術平均が求められる（ステップＳ３７）。例えば、ＩＤ＝１８４１が入力された場合は、図３の照合ログの表の下３行のログが出力され、平均値は以下のように求められる。
平均照合率：ＶＢ：０．８８１
平均ズレ度合い：（ＸＢ，ＹＢ）：（−３．３，０．３）
平均確定面積：ＳＢ：３１６．７
平均濃度：ＣＢ：０．７３
これらの平均値を用い、ガイダンス選択手段１１は、ガイダンスリスト４中の事前ガイダンスを参照して、ガイダンス表示手段５に出力し（ステップＳ３８）、終了する（ステップＳ３９）。
【００４４】
以下図９を用いてステップＳ３８でのガイダンス選択手段１１の動作を説明する。事前ガイダンスリストの例を図１０に示す。
開始（ステップＳ３０１）後、図１０のガイダンス１’中の＃部分に、前から順にＭとＶＢを代入し、ガイダンス１’を選択する（ステップＳ３０２）。次に、図１０のガイダンス２’中の＃部分に、前から順にＭとＸＢ，ＹＢを代入し、、ガイダンス２’を選択する（ステップＳ３０３）。次に、図１０のガイダンス３’中の＃部分に、前から順にＭとＳＢを代入し、、ガイダンス３’を選択する（ステップＳ３０４）。次に、図１０のガイダンス４’中の＃部分に、前から順にＭとＣＢを代入し、、ガイダンス４’を選択する（ステップＳ３０５）。次にガイダンス表示手段５は、ガイダンス選択手段１１から選択したガイダンス１’、２’、３’、４’を入力、表示し（ステップＳ３０６）、終了する（ステップＳ３０７）。
【００４５】
以上のように、本発明ではユーザが過去の照合履歴から自分の指の置き方の癖などを教示する事前ガイダンスを提示することで、ユーザは指紋照合のときの指のおき方を改善することができる。
【００４６】
また、以下図１１を用いて、本発明の一実施例の動作を説明する。
開始（ステップＳ４１）後に、ユーザがガイダンス要求スイッチ７をＯＮにして本発明の指紋照合装置に指紋を入力する以前にガイダンスを要求したとき（ステップＳ４２）、環境データ８がガイダンス選択手段１１へ入力し（ステップＳ４３）、ガイダンスを選択、出力し（ステップＳ４４）、終了する（ステップＳ４５）。
【００４７】
以下、図１２を用いて、環境データとして湿度を利用する場合のガイダンス選択手段１１の動作を説明する。事前のガイダンスリストの例を図１３に示す。
開始（ステップＳ４０１）後、ステップＳ４３で入力された湿度：Ｗを、湿度の第一の閾値：Ｗ０と比較し（ステップＳ４０２）、Ｗ＜Ｗ０の場合はガイダンス１’’を選択し（ステップＳ４０３）、ステップＳ４０６に移る。Ｗ＜Ｗ０でない場合はステップＳ４０４に移る。
ステップＳ４０４では、湿度：Ｗを、湿度の第二の閾値：Ｗ１と比較し、Ｗ＞Ｗ１かを判定し（ステップＳ４０４）、Ｗ＞Ｗ１の場合はガイダンス２’’を選択し（ステップＳ４０５）、ステップＳ４０６に移る。Ｗ＞Ｗ１でない場合はステップＳ４０６に移る。
ステップＳ４０６ではガイダンス表示手段５が、ガイダンス選択手段１１から選択したガイダンスがある場合、表示しステップＳ４０７で終了する。
例えば湿度：Ｗの２つの閾値を、Ｗ０＝０．３，Ｗ１＝０．７と設定したとする。湿度が高く８０％ある場合は、ステップＳ４３で、Ｗ＝０．８が入力され、ステップＳ４４でＷ＞Ｗ１が成立するのでガイダンス２’’の内容がユーザに示される。
【００４８】
以上のように、本発明ではユーザに気象条件に対応した指の置き方をガイダンス提示することで、ユーザは指紋照合のときの指のおき方を改善することができる。
【００４９】
【発明の効果】
以上のように、この発明にかかる指紋照合装置は、ユーザを識別する識別情報を受け付ける入力手段と、前記ユーザの指紋を画像情報として取り込む指紋画像読み取り手段と、前記識別情報に基づき登録されている指紋の画像情報を検索する指紋画像データベースと、前記指紋画像読み取り手段が出力する指紋画像と、前記指紋画像データベースが出力する指紋画像とを照合する指紋照合手段と、前記ユーザが前記指紋画像読み取り手段に指紋を読み込ませるときの注意点を提示するガイダンス情報を複数記憶するガイダンス記憶手段と、前記ガイダンス記憶手段から前記指紋照合手段の照合結果に基づいて、前記ユーザに提示するガイダンス情報を選択するガイダンス選択手段と、前記ガイダンス選択手段が出力するガイダンス情報を前記ユーザに表示するガイダンス表示手段とを備えるため、指紋照合結果を参照して適切なガイダンスをユーザに知らせることにより、ユーザは指紋照合率が改善されるように指紋入力方法を修正することができる。
【００５０】
また、前記指紋照合手段の出力する照合結果を前記ユーザ毎に記憶し、前記識別情報を検索条件として前記照合結果を検索する指紋画像照合ログデータベースを備え、前記ガイダンス表示手段は、前記指紋画像照合ログデータベースが検索した照合結果に従って、前記ガイダンス情報を表示するため、ユーザは現在と過去の指紋照合結果に対するガイダンスをあわせて参照して、指のおき方を改善することができる。
【００５１】
また、前記ユーザがＯＮ／ＯＦＦできるガイダンス要求スイッチを備え、前記ガイダンス要求スイッチから前記ガイダンス選択手段にＯＮ入力があったとき、前記ガイダンス表示手段が前記ガイダンス情報を提示するため、自分の指の置き方の癖などを教示するガイダンスを指紋照合を行う前に参照し、指紋照合のときの指のおき方を改善することができる。
【００５２】
また、前記ガイダンス選択手段は、前記指紋画像読み取り手段が指紋を取り込むときに指紋画像に影響を及ぼす因子となる環境データに基づき、ガイダンスを選択するため、ユーザはガイダンスに従い環境条件に対応した指の置き方をすることができる。
【００５３】
また、この発明にかかる指紋照合方法は、ユーザを識別する識別情報を受け付ける入力ステップと、前記ユーザの指紋画像を読み取る指紋画像読み取りステップと、前記識別情報に基づき、複数ユーザの指紋画像を記憶する指紋画像データベースから指紋画像を検索するステップと、前記指紋画像読み取りステップで読み取られた指紋画像と、前記指紋画像データベースが出力する指紋画像とを照合する指紋照合ステップと、前記指紋照合ステップの照合結果に基づいて、予め記憶された複数のガイダンスから前記ユーザに提示するガイダンスを選択し、前記ユーザに表示するガイダンス表示ステップとを備えるため、指紋照合結果を参照して適切なガイダンスをユーザに知らせることにより、ユーザは指紋照合率が改善されるように指紋入力方法を修正することができる。
【００５４】
また、前記指紋照合ステップの出力する照合結果をユーザ毎に記憶するステップと、前記識別情報を検索条件として前記指紋照合結果を検索する検索ステップとを備え、前記指紋画像読み取りステップを実行する際に、前記検索ステップで検索された指紋照合結果に基づいて、前記ガイダンス情報を表示するステップを備えるため、ユーザは現在と過去の指紋照合結果に対するガイダンスをあわせて参照して、指のおき方を改善することができる。
【００５５】
【図面の簡単な説明】
【図１】本発明の実施形態１に関わる指紋照合装置の構成を示すブロック図である
【図２】本発明の実施形態１の全体フローチャートである
【図３】指紋画像照合ログの表である
【図４】本発明の実施形態１の部分フローチャートである
【図５】ガイダンスリストの例である
【図６】本発明の実施形態２に関わる指紋照合装置の構成を示すブロック図である
【図７】本発明の実施形態２その１の全体フローチャートである
【図８】本発明の実施形態２その２の全体フローチャートである
【図９】本発明の実施形態２その２の部分フローチャートである
【図１０】指紋照合の履歴に基づくガイダンスリストの例である
【図１１】本発明の実施形態２その３の全体フローチャートである
【図１２】本発明の実施形態２その３の部分フローチャートである
【図１３】湿度に基づくガイダンスリストの例である
【図１４】従来の指紋照合装置の処理フローである
【符号の説明】
１  ＩＤ入力手段、２  指紋画像読み取り手段、３  指紋画像データベース、４ガイダンスリスト、５  ガイダンス表示手段、６  指紋画像照合ログデータベース、７  ガイダンス要求スイッチ、８  環境データ、１０  指紋照合手段、１１  ガイダンス選択手段
【図１】
0004306177.tif 000013
【図２】
0004306177.tif 000014
【図３】
0004306177.tif 000015
【図４】
0004306177.tif 000016
【図５】
0004306177.tif 000017
【図６】
0004306177.tif 000018
【図７】
0004306177.tif 000019
【図８】
0004306177.tif 000020
【図９】
0004306177.tif 000021
【図１０】
0004306177.tif 000022
【図１１】
0004306177.tif 000023
【図１２】
0004306177.tif 000024
【図１３】
0004306177.tif 000025
【図１４】
0004306177.tif 000026